(57)【要約】【課題】二次電池を提供する。【解決手段】第１電極板、第２電極板、及びこれらの間に介されるセパレータを備える電極組立体と、電極組立体が挿入されるように一側に開口が形成されており、内部に電極組立体を収容する缶と、缶の開口を密閉するキャッププレートと、を備え、缶は、缶の第１側面に形成された第１ベントと、缶の第２側面に形成された第２ベントと、を備える二次電池。【選択図】図１
2014150045.tif 000002
【特許請求の範囲】
【請求項１】
第１電極板、第２電極板、及びこれらの間に介されるセパレータを備える電極組立体と、
前記電極組立体が挿入されるように一側に開口が形成されており、内部に前記電極組立体を収容する缶と、
前記缶の開口を密閉するキャッププレートと、を備え、
前記缶は、
前記缶の第１側面に形成された第１ベントと、
前記缶の第２側面に形成された第２ベントと、を備える二次電池。
【請求項２】
前記缶の第１側面と前記缶の第２側面とは、互いに反対側に位置する請求項１に記載の二次電池。
【請求項３】
前記第１ベントは、前記缶の第１側面の下部に形成され、
前記第２ベントは、前記缶の第２側面の上部に形成される請求項１に記載の二次電池。
【請求項４】
前記第１ベントと第２ベントとは、互いに遠ざかるように配される請求項３に記載の二次電池。
【請求項５】
前記第１ベント及び前記第２ベントは、凹溝状であり、
前記第１ベントの深さは、前記第２ベントの深さより深く形成された請求項１に記載の二次電池。
【請求項６】
前記第１ベントは、下記の条件式を満たす請求項５に記載の二次電池。
＜条件式＞
【数１】
2014150045.tif 000009
ここで、ｄ１は、前記第１ベントの深さを、ｔは、前記缶の厚さを示す。
【請求項７】
前記第２ベントの深さの最大値は、前記第１ベントの深さの１／２倍である請求項５に記載の二次電池。
【請求項８】
前記第１ベントの深さは、下記の条件式を満たす請求項５に記載の二次電池。
＜条件式＞
【数２】
2014150045.tif 000010
ここで、ｄ１は、前記第１ベントの深さを、ｔは、前記缶の厚さを示す。
【請求項９】
前記第１ベントと前記第２ベントのうちいずれか一つは、前記キャッププレートの厚さ方向に対して斜めの方向に沿って延び、残りの一つは、前記キャッププレートの厚さ方向と平行または垂直の方向に沿って延びている請求項１に記載の二次電池。
【請求項１０】
第１電極板、第２電極板、及びこれらの間に介されるセパレータを備える電極組立体と、
前記電極組立体が挿入されるように一側に開口が形成されており、内部に前記電極組立体を収容し、金属性素材を含む缶と、
前記缶の開口を密閉するように前記缶と溶接されたキャッププレートと、を備え、
前記缶は、
前記缶の第１側面の下部に形成された第１ベントと、
前記第１側面の反対側である前記缶の第２側面の上部に形成された第２ベントと、を備える二次電池。
【請求項１１】
第１電極板、第２電極板、及びこれらの間に介されるセパレータを備える電極組立体と、
前記電極組立体が挿入されるように一側に開口が形成されており、内部に前記電極組立体を収容する缶と、
前記缶の開口を密閉するキャッププレートと、を備え、
前記缶は、
前記キャッププレートの長辺部から前記キャッププレートの厚さ方向に沿って延びて互いに対向する第１側面及び第２側面と、
前記キャッププレートの短辺部から前記キャッププレートの厚さ方向に沿って延びて互いに対向する第３側面及び第４側面と、
前記第１側面の下部に形成された第１ベントと、
前記第２側面の下部に形成された第２ベントと、を備える二次電池。
【請求項１２】
前記第１ベントは、前記第１側面の下部の一側に形成され、
前記第２ベントは、前記第２側面の上部の一側に形成される請求項１１に記載の二次電池。
【請求項１３】
前記第１ベントは、前記第１側面の下部に配されるものの前記第３側面と隣接している一側に配され、
前記第２ベントは、前記第２側面の上部に配されるものの前記第４側面と隣接している一側に配される請求項１２に記載の二次電池。
【請求項１４】
前記第１ベントと前記第２ベントのうちいずれか一つは、前記キャッププレートの厚さ方向に対して斜めの方向に沿って延び、残りの一つは、前記キャッププレートの厚さ方向と平行または垂直の方向に沿って延びている請求項１２に記載の二次電池。
【請求項１５】
前記第１ベント及び前記第２ベントは、凹溝状であり、
前記第１ベントの深さは、前記第２ベントの深さより深く形成された請求項１１に記載の二次電池。
【請求項１６】
前記第１ベントは、下記の条件式を満たす請求項１５に記載の二次電池。
＜条件式＞
【数３】
2014150045.tif 000011
ここで、ｄ１は、前記第１ベントの深さを、ｔは、前記缶の厚さを示す。
【請求項１７】
前記第２ベントの深さの最大値は、前記第１ベントの深さの１／２倍である請求項１６に記載の二次電池。
【請求項１８】
前記第１ベントの深さは、下記の条件式を満たす請求項１６に記載の二次電池。
＜条件式＞
【数４】
2014150045.tif 000012
ここで、ｄ１は、前記第１ベントの深さを、ｔは、前記缶の厚さを示す。
【請求項１９】
前記第１ベント及び前記第２ベントは、凹溝状であり、
前記第１ベントの深さは、前記第２ベントの深さより深く形成された請求項１３に記載の二次電池。
【請求項２０】
前記缶は、金属性素材で形成された請求項１１に記載の二次電池。
【発明の詳細な説明】
【技術分野】
【０００１】
本発明は、二次電池に関する。
【背景技術】
【０００２】
二次電池とは、充電の不可能な一次電池とは異なって、充電・放電の可能な電池をいい、携帯電話、ＰＤＡ、ノート型パソコンなどの小型先端電子機器分野で広く使われている。
二次電池が多様な分野で使われつつ、二次電池の使用環境による信頼性テストが重要な問題となっている。代表的な信頼性テスト項目には、温度による耐久性、落下強度、精電気防止（ＥＳＤ；ｅｌｅｃｔｒｏｓｔａｔｉｃ ｄｉｓｃｈａｒｇｅ）、充電及び放電テストなどがある。これらテスト項目のうち、二次電池は充放電により長時間使われるので、二次電池の動作安定性は必ず備えなければならない重要な要素である。
【先行技術文献】
【特許文献】
【０００３】
【特許文献１】米国公開特許  ＵＳ２００３/００７７５０５
【特許文献２】米国公開特許  ＵＳ２００８/００７００９７
【特許文献３】米国公開特許  ＵＳ２００９/００７５１５９
【発明の概要】
【発明が解決しようとする課題】
【０００４】
本発明の一実施形態は、非正常的な動作による爆発を予防できるようにベントを備える二次電池の構造に関する。
【課題を解決するための手段】
【０００５】
本発明の一側面によれば、第１電極板、第２電極板、及びこれらの間に介されるセパレータを備える電極組立体と、前記電極組立体が挿入されるように一側に開口が形成されており、内部に前記電極組立体を収容する缶と、前記缶の開口を密閉するキャッププレートと、を備え、前記缶は、前記缶の第１側面に形成された第１ベントと、
前記缶の第２側面に形成された第２ベントと、を備える二次電池を提供する。
本発明の一特徴によれば、前記缶の第１側面と前記缶の第２側面とは、互いに反対側に位置する。
【０００６】
本発明のさらに他の特徴によれば、前記第１ベントは、前記缶の第１側面の下部に形成され、前記第２ベントは、前記缶の第２側面の上部に形成される。
本発明のさらに他の特徴によれば、前記第１ベントと第２ベントとは、互いに遠ざかるように配される。
本発明のさらに他の特徴によれば、前記第１ベント及び前記第２ベントは、凹溝状であり、前記第１ベントの深さは、前記第２ベントの深さより深く形成される。
【０００７】
本発明のさらに他の特徴によれば、前記第１ベントは、下記の条件式を満たす。
＜条件式＞
【数１】
2014150045.tif 000003
ここで、ｄ１は、前記第１ベントの深さを、ｔは、前記缶の厚さを示す。
本発明のさらに他の特徴によれば、前記第２ベントの深さの最大値は、前記第１ベントの深さの１／２倍である。
【０００８】
本発明のさらに他の特徴によれば、前記第１ベントの深さは、下記の条件式を満たす。
＜条件式＞
【数２】
2014150045.tif 000004
ここで、ｄ１は、前記第１ベントの深さを、ｔは、前記缶の厚さを示す。
本発明のさらに他の特徴によれば、前記第１ベントと前記第２ベントのうちいずれか一つは、前記キャッププレートの厚さ方向に対して斜めの方向に沿って延び、残りの一つは、前記キャッププレートの厚さ方向と平行または垂直の方向に沿って延びている。
【０００９】
本発明のさらに他の側面によれば、第１電極板、第２電極板、及びこれらの間に介されるセパレータを備える電極組立体と、前記電極組立体が挿入されるように一側に開口が形成されており、内部に前記電極組立体を収容し、金属性素材を含む缶と、前記缶の開口を密閉するように前記缶と溶接されたキャッププレートと、を備え、前記缶は、前記缶の第１側面の下部に形成された第１ベントと、前記第１側面の反対側である前記缶の第２側面の上部に形成された第２ベントと、を備える二次電池を提供する。
【００１０】
本発明のさらに他の側面によれば、第１電極板、第２電極板、及びこれらの間に介されるセパレータを備える電極組立体と、前記電極組立体が挿入されるように一側に開口が形成されており、内部に前記電極組立体を収容する缶と、前記缶の開口を密閉するキャッププレートと、を備え、前記缶は、前記キャッププレートの長辺部から前記キャッププレートの厚さ方向に沿って延びて互いに対向する第１側面及び第２側面と、前記キャッププレートの短辺部から前記キャッププレートの厚さ方向に沿って延びて互いに対向する第３側面及び第４側面と、前記第１側面の下部に形成された第１ベントと、前記第２側面の下部に形成された第２ベントと、を備える二次電池を提供する。
【００１１】
本発明の一特徴によれば、前記第１ベントは、前記第１側面の下部の一側に形成され、前記第２ベントは、前記第２側面の上部の一側に形成される。
本発明のさらに他の特徴によれば、前記第１ベントは、前記第１側面の下部に配されるものの前記第３側面と隣接している一側に配され、前記第２ベントは、前記第２側面の上部に配されるものの前記第４側面と隣接している一側に配される。
本発明のさらに他の特徴によれば、前記第１ベントと前記第２ベントのうちいずれか一つは、前記キャッププレートの厚さ方向に対して斜めの方向に沿って延び、残りの一つは、前記キャッププレートの厚さ方向と平行または垂直の方向に沿って延びている。
【００１２】
本発明のさらに他の特徴によれば、前記第１ベント及び前記第２ベントは、凹溝状であり、前記第１ベントの深さは、前記第２ベントの深さより深く形成される。
本発明のさらに他の特徴によれば、前記第１ベントは、下記の条件式を満たす。
＜条件式＞
【数３】
2014150045.tif 000005
ここで、ｄ１は、前記第１ベントの深さを、ｔは、前記缶の厚さを示す。
本発明のさらに他の特徴によれば、前記第２ベントの深さの最大値は、前記第１ベントの深さの１／２倍である。
【００１３】
本発明のさらに他の特徴によれば、前記第１ベントの深さは、下記の条件式を満たす。
＜条件式＞
【数４】
2014150045.tif 000006
ここで、ｄ１は、前記第１ベントの深さを、ｔは、前記缶の厚さを示す。
本発明のさらに他の特徴によれば、前記第１ベント及び前記第２ベントは、凹溝状であり、前記第１ベントの深さは、前記第２ベントの深さより深く形成される。
本発明のさらに他の特徴によれば、前記缶は、金属性素材で形成される。
【発明の効果】
【００１４】
本発明の一実施形態によれば、互いに異なる面上に、または／及び互いに異なる位置に、または／及び互いに異なる深さを持つように形成された第１、２ベントの構成により、二次電池が不均一に膨脹しても耐圧が基準圧力より高ければ、いずれか一つが容易に破断される。よって、二次電池の爆発危険を遮断する。
【図面の簡単な説明】
【００１５】
【図１】本発明の一実施形態の二次電池を示す斜視図である。
【図２】図１の二次電池を他の角度からみた斜視図である。
【図３】図１の二次電池の分解斜視図である。
【図４】図１のＩＶ−ＩＶ線の断面図である。
【図５】図２のＶ−Ｖ線の断面図である。
【図６】一実施形態の第１ベント及び第２ベントを備える第１側面及び第２側面を示す図面である。
【図７】他の実施形態の第１ベント及び第２ベントを備える第１側面及び第２側面を示す図面である。
【図８】他の実施形態の第１ベント及び第２ベントを備える第１側面及び第２側面を示す図面である。
【図９】他の実施形態の第１ベント及び第２ベントを備える第１側面及び第２側面を示す図面である。
【発明を実施するための形態】
【００１６】
本発明は、多様な変換を加えることができ、かついろいろな実施形態を持つことができるところ、特定実施形態を図面に例示して詳細な説明に詳細に説明する。しかし、これは本発明を特定の実施形態に限定しようとするものではなく、本発明の思想及び技術範囲に含まれるあらゆる変換、均等物ないし代替物を含むと理解されねばならない。本発明を説明するに際して、かかる公知技術についての具体的な説明が本発明の趣旨を不明にすると判断される場合、その詳細な説明を略する。第１、第２などの用語は多様な構成要素を説明するときに使われるが、構成要素は用語によって限定されてはならない。用語は一つの構成要素を他の構成要素から区別する目的だけで使われる。本出願で使った用語は単に特定の実施形態を説明するために使われたものであり、本発明を限定しようとする意図ではない。単数の表現は、文脈上明らかに異なって意味しない限り、複数の表現を含む。本出願で、“含む”または“持つ”などの用語は明細書上に記載された特徴、数字、段階、動作、構成要素、部品またはこれらを組み合わせたものが存在するということを指定しようとするものであり、一つまたはそれ以上の他の特徴や、数字、段階、動作、構成要素、部品またはこれらを組み合わせたものなどの存在または付加可能性を予め排除しないと理解されねばならない。一方、下記で使われた“／”は状況によって“及び”と解釈されてもよく、“または”と解釈されてもよい。
【００１７】
図１は、本発明の一実施形態による二次電池を概略的に示す斜視図であり、図２は、図１の二次電池を他の角度からみた斜視図であり、図３は、図１の二次電池の分解斜視図である。
図１ないし図３を参照すれば、本発明の実施形態による二次電池１００は、電極組立体１１０、電極組立体１１０を収容する缶１２０、缶１２０の内部を密閉するキャッププレート１３０を備える。
【００１８】
電極組立体１１０は、電極活物質が塗布された第１電極板１１１と、第２電極板１１２及び、これらの間に介されたセパレータ１１３とを備える。電極組立体１１０は、第１電極板１１１、セパレータ１１３及び第２電極板１１２が順次に積層された積層体を形成した後、ゼリー・ロール状になるように巻き取って製作される。第１電極板１１１と第２電極板１１２それぞれは、化学反応によって形成された電荷を外部に引き出すための第１電極タブ１１４及び第２電極タブ１１５と電気的に連結されている。第１電極タブ１１４及び第２電極タブ１１５は、同方向に向かって延びる。例えば、第１、２電極タブ１１４、１１５は缶１２０の開口ＯＰに向かって延びる。
【００１９】
本実施形態では、電極組立体１１０がゼリー・ロール状になっている場合を説明したが、本発明はこれに制限されるものではない。さらに他の実施形態として、電極組立体１１０は、第１電極板１１１、第２電極板１１２及びこれらの間にセパレータ１１３が介された積層構造である。
缶１２０は、一面、すなわち、上面と対応する面が開放された直方体の形象である。缶１２０の開放された上面は、第１及び第２長辺部１３０ｅ１、１３０ｅ２と第１及び第２短辺部１３０ｅ３、１３０ｅ４とを備える長方形のキャッププレート１３０によって閉鎖される。例えば、缶１２０は、キャッププレート１３０の厚さ方向（ｚ方向）と平行であり、キャッププレート１３０の第１長辺部１３０ｅ１からｚ方向に沿って延びている第１側面１２０ｓ１、第１側面１２０ｓ１と対向してキャッププレート１３０の第２長辺部１３０ｅ２からｚ方向に沿って延びている第２側面１２０ｓ２、キャッププレート１３０の第１短辺部１３０ｅ３からｚ方向に沿って延びている第３側面１２０ｓ３、及びキャッププレート１３０の第２短辺部１３０ｅ４からｚ方向に沿って延びている第４側面１２０ｓ４を備える。
【００２０】
缶１２０は、強度を確保するために金属性素材で製作される。例えば、缶１２０は、アルミニウム、アルミニウム合金で製作される。缶１２０の内部には、電解質に含浸された電極組立体１１０が収容される。この時、金属性素材で形成された缶１２０と不要なショートが発生しないように、電極組立体１１０の外側面は絶縁シート（図示せず）によって取り囲まれたまま前記缶１２０の内部に収容される。電極組立体１１０が缶１２０の内部に収容された後、開口ＯＰはキャッププレート１３０によって密閉される。
【００２１】
キャッププレート１３０は、缶１２０の開口ＯＰを密閉することで缶１２０の内部は気密を維持する。例えば、キャッププレート１３０は、缶１２０の上部とレーザー溶接によって結合される。
キャッププレート１３０には電解質注入口１３１が備えられる。キャッププレート１３０と缶１２０とが結合された後、電解質は電解質注入口１３１を通じて注入され、電解質注入口１３１は、栓１３２によって密閉される。さらに他の実施形態として、キャッププレート１３０には電解質注入口１３１が備えられないこともある。この場合、キャッププレート１３０と缶１２０とがレーザー溶接によって一体に結合される前に、電解質が注入される。
【００２２】
キャッププレート１３０上には電極端子１４０が配される。電極端子１４０の上面は、キャッププレート１３０の上部を通じて外部に露出され、下部は、キャッププレート１３０を貫通して缶１２０の内部に向かう。
缶１２０と同様にキャッププレート１３０も金属性素材で製作される。電極端子１４０は、電極組立体１１０の第１電極タブ１１４と電気的に連結されて第１極性を帯び、キャッププレート１３０は、電極組立体１１０の第２電極タブ１１５と電気的に連結されて第２極性を帯びる。例えば、キャッププレート１３０は二次電池１００の正極の役割を、電極端子１４０は二次電池１００の負極の役割を行える。この時、キャッププレート１３０と電極端子１４０との間には、これら間のショートを防止するために、絶縁性素材を含む第１ガスケット１４５及び第２ガスケット（図示せず）が備えられる。
【００２３】
第１ガスケット１４５は、キャッププレート１３０の上面と接触するように配され、第２ガスケットは、キャッププレート１３０の下部面と接触するように配される。本実施形態では、第１及び第２ガスケットが別途である場合を説明したが、第１及び第２ガスケットは一体型でありうる。一方、キャッププレート１３０との溶接により第２極性を帯びる缶１２０を、外部の物体または他の二次電池１００から電気的に絶縁させるために、缶１２０の両側面には、缶１２０の第１及び第２側面１２０ｓ１、１２０ｓ２をカバーする絶縁フィルム１６０が取り付けられる。
【００２４】
缶１２０の内部には、電極組立体１１０の上部に位置する第１絶縁材１５０が配される。第１絶縁材１５０は、電極組立体１１０をキャッププレート１３０と絶縁させる。さらに他の実施形態として、第１絶縁材１５０は、電極組立体１１０をキャッププレート１３０と絶縁させると同時に、缶１２０の内部で電極組立体１１０が動くことを規制する。第１絶縁材１５０は、第１、２電極タブ１１４、１１５が開口ＯＰに向かって延びるように貫通ホールを備え、電解質注入口１３１を通じて流れ込んだ電解質が通過するように、電解質注入口１３１と対応する位置に形成されたホールを備える。一方、電極組立体１１０の下部には第２絶縁材１８０が配され、金属性素材の缶１２０と電極組立体１１０との間の不要なショートを防止する。
【００２５】
第１ベント１２１及び第２ベント１２２は、缶１２０の外側面に形成されて二次電池１００の爆発危険を防止する。二次電池１００が非正常的に動作する場合、二次電池１００の内部にはガスが発生し、内部のガスが缶１２０の内壁に圧力を加えつつ二次電池１００、すなわち、缶１２０が膨脹するスエリング現状が起きる。この場合、第１ベント１２１及び第２ベント１２２は、非正常動作時に発生したガスによって破断されつつ外部にガスを放出し、二次電池１００の爆発危険を防止する。
【００２６】
二次電池１００が膨脹するスエリング現状は、機械的強度の相対的に弱い第１及び第２側面の中心領域で最も著しく示される。一般的に、二次電池１００の缶１２０は、第１及び第２側面の中心を貫通する軸Ａ方向に沿って最も大きく膨脹するが、膨脹する程度は、軸Ａを中心として全体的に同心円状をなす。しかし、二次電池１００の内部構造、ガスの発生位置などによって二次電池１００が不均一に膨脹する場合、第１及び第２ベント１２１、１２２が破断されないまま二次電池１００が爆発してしまうことがある。このような問題を予防するために、第１及び第２ベント１２１、１２２は、それぞれ互いに異なる面上で互いに異なる位置に配される。例えば、第１ベント１２１は第１側面１２０ｓ１の下部に形成され、第２ベント１２２は第２側面１２０ｓ２の上部に形成される。それぞれ互いに異なる面上に互いに異なる位置に形成された第１及び第２ベント１２１、１２２のうち少なくともいずれか一つが破断されつつ、二次電池１００の内部ガスが放出されることで二次電池１００の爆発を予め遮断する。
【００２７】
図４及び図５は、第１及び第２ベント１２１、１２２の側断面を示すものであり、図４は、図１のIV−IV線の断面図であり、図５は、図２のＶ−Ｖ線の断面図である。
図４及び図５を参照すれば、第１ベント１２１及び第２ベント１２２は、缶１２０の外側面に形成された凹溝の形状でありうる。第１ベント１２１及び第２ベント１２２の深さｄ２は、缶１２０の厚さｔより小さく形成される。
【００２８】
缶１２０の上部には開口ＯＰが形成されており、キャッププレート１３０と溶接される部分であるので、缶１２０の上部の強度は、下部の強度に比べて比較的弱い。よって、第２ベント１２２の深さｄ２を第１ベント１２１の深さｄ１より小さく形成するものの、第１及び第２ベント１２１、１２２の深さは、二次電池１００の爆発を予防するための第１及び第２ベント１２１、１２２の本来の機能を害しないほどに形成されねばならない。例えば、第２ベント１２２の深さｄ２の最大値は、第１ベント１２１の深さｄ１の約１／２倍である。第２ベント１２２の深さｄ２が第１ベント１２１の深さｄ１の０．５倍より大きい場合、第２ベント１２２が、二次電池１００の内部圧力が低い場合にも容易に破断され、キャッププレート１３０と缶１２０との溶接時にも衝撃を受けて破断される恐れがあって、二次電池１００の動作安定性を低下させる。
【００２９】
一方、第１ベント１２１の深さｄ１は、缶１２０の厚さｔ及び下記の条件式１を満たす。
＜条件式１＞
【数５】
2014150045.tif 000007
第１ベント１２１の深さｄ１が前記条件式１の下限を外れる場合、二次電池１００の内部圧力が低い場合にも第１ベント１２１が容易に破断されうるので、二次電池１００の動作安定性を低下させる。一方、第１ベント１２１の深さｄ１が前記条件式１の上限を外れる場合、二次電池１００の内部圧力が十分に高い場合にも第１ベント１２１が破断されず、結局、二次電池１００の爆発事故につながる恐れがある。
【００３０】
本発明の一実施形態として、第１ベント１２１の深さｄ１及び缶１２０の厚さｔは次の条件式２を満たす。
＜条件式２＞
【数６】
2014150045.tif 000008
図６は、図１及び図２に示した二次電池の第１及び第２側面を示すものである。図７ないし図９は、本発明のさらに他の実施形態による第１及び第２側面を示す。図６ないし図９で反対側面に形成されたベントは、点線で示した。
【００３１】
図６ないし図９を参照すれば、二次電池１００が不均一に膨脹しても二次電池１００の圧力が所定の圧力以上である場合に容易に破断されるように、第１及び第２ベント１２１、１２２は互いに遠ざかるように配されて形成される。
例えば、第１ベント１２１は、第１側面１２０ｓ１の左下部（または右下部）に形成され、第２ベント１２２は、第２側面１２０ｓ２の右上部（または左上部）に形成される。すなわち、第１ベント１２１は、第１側面１２０ｓ１の下部に形成されるが、第１側面１２０ｓ１のうち第３側面１２０ｓ３と隣接している領域に配される。一方、第２ベント１２２は、第２側面１２０ｓ２の上部に形成されるものの、第２側面１２０ｓ２のうち第４側面１２０ｓ４と隣接している領域に配される。
【００３２】
一方、第１及び第２ベント１２１、１２２は、互いに異なる方向に沿って延びる。
例えば、図６に示したように、第１ベント１２１は、キャッププレート１３０の厚さ方向、すなわち、ｚ方向に対して斜めの方向に沿って延び、第２ベント１２２は、ｚ方向と平行な方向に沿って延びる。
さらに他の実施形態で、図７に示したように、第１ベント１２１は、キャッププレート１３０の厚さ方向、すなわち、ｚ方向に対して斜めの方向に沿って延び、第２ベント１２２は、ｚ方向と垂直の方向（ｘ方向）に沿って延びる。
【００３３】
さらに他の実施形態で、図８に示したように、第１ベント１２１は、キャッププレート１３０の厚さ方向、すなわち、ｚ方向に平行な方向に沿って延び、第２ベント１２２は、ｚ方向に対して斜めの方向に沿って延びる。
さらに他の実施形態で、図９に示したように、第１ベント１２１は、キャッププレート１３０の厚さ方向、すなわち、ｚ方向に垂直の方向（ｘ方向）に沿って延び、第２ベント１２２は、ｚ方向に対して斜めの方向に沿って延びる。
【００３４】
前述したように、第１及び第２ベント１２１、１２２が互いに異なる方向に延びることで、二次電池１００が不均一に膨脹しても二次電池１００の圧力が所定の圧力以上である場合に、第１及び第２ベント１２１、１２２のうち少なくともいずれか一つが破断されるように構成される。
たとえ本発明が前述した望ましい実施形態に関して説明されたとしても、発明の趣旨及び範囲を逸脱せずに多様な修正や変形を行える。したがって、特許請求の範囲は本発明の趣旨に属する限り、これらの修正や変形を含む。
【産業上の利用可能性】
【００３５】
本発明は、携帯電話、ＰＤＡ、ノート型パソコンなどの小型先端電子機器分野で好適に用いられる。
【符号の説明】
【００３６】
１００  二次電池
１１０  電極組立体
１１１  第１電極板
１１２  第２電極板
１１３  セパレータ
１１４  第１電極タブ
１１５  第２電極タブ
１２０  缶
１２０ｓ１  缶の第１側面
１２０ｓ２  缶の第２側面
１２０ｓ３  缶の第３側面
１２０ｓ４  缶の第４側面
１３０  キャッププレート
１３０ｅ１  キャッププレートの第１長辺部
１３０ｅ２  キャッププレートの第２長辺部
１３０ｅ３  キャッププレートの第１短辺部
１３０ｅ４  キャッププレートの第２短辺部
１３２  電解質注入口
１３２  栓
１４０  電極端子
１４５  第１ガスケット
【図１】
2014150045.tif 000013
【図２】
2014150045.tif 000014
【図３】
2014150045.tif 000015
【図４】
2014150045.tif 000016
【図５】
2014150045.tif 000017
【図６】
2014150045.tif 000018
【図７】
2014150045.tif 000019
【図８】
2014150045.tif 000020
【図９】
2014150045.tif 000021